(57)【要約】【課題】印刷記録媒体に印刷されたバーコードなどの識別コードが識別可能な程度の品質か否かを区分すると共に、印刷処理時間を高速化することができる画像形成装置を提供すること。【解決手段】印刷記録媒体を識別するための識別コード画像を含む第１の画像を印刷記録媒体に印刷する印刷手段１２と、印刷手段１２によって印刷記録媒体に印刷された第２の画像を読取る読取手段１３と、読取手段１３によって読取られた第２の画像と前記第１の画像とを比較して画質の良否を判定する判定手段１５１と、第１の画像に含まれる識別コード画像から得られるデータと第２の画像に含まれる識別コード画像から得られるデータとを比較して識別コード画像の良否を判定する判定手段１５２と、判定手段１５１の判定結果および判定手段１５２の判定結果に従って印刷の良否を判定する判定手段１５３とを備えて構成する。【選択図】図１
2008236177.tif 000002
【特許請求の範囲】
【請求項１】
印刷記録媒体を識別するための識別コード画像を含む第１の画像を印刷記録媒体に印刷する印刷手段と、
前記印刷手段によって前記印刷記録媒体に印刷された第２の画像を読取る読取手段と、
前記読取手段によって読取られた第２の画像と前記第１の画像とを比較して画質の良否を判定する第１の判定手段と、
前記第１の画像に含まれる識別コード画像から得られるデータと前記第２の画像に含まれる識別コード画像から得られるデータとを比較して識別コード画像の良否を判定する第２の判定手段と、
前記第１の判定手段の判定結果および前記第２の判定手段の判定結果に従って印刷の良否を判定する第３の判定手段と、を備えたことを特徴とする画像形成装置。
【請求項２】
前記画質の良否を判定するための複数の評価項目のうち所望の評価項目を指定させる評価項目指定手段を備え、
前記第１の判定手段は、前記評価項目指定手段によって指定された評価項目について前記画質の良否を判定することを特徴とする請求項１に記載の画像形成装置。
【請求項３】
前記評価項目には、画像の濃度に関する項目が含まれることを特徴とする請求項２に記載の画像形成装置。
【請求項４】
前記評価項目には、画像の位置、伸縮量、および回転量に関する項目が含まれることを特徴とする請求項２に記載の画像形成装置。
【請求項５】
前記評価項目には、画像の色に関する項目が含まれることを特徴とする請求項２に記載の画像形成装置。
【請求項６】
前記評価項目には、画像の形状に関する項目が含まれることを特徴とする請求項２に記載の画像形成装置。
【請求項７】
前記第３の判定手段の前記印刷の良否の判定結果に応じて前記印刷記録媒体を分別する分別手段を備えたことを特徴とする請求項１から請求項６までの何れかに記載の画像形成装置。
【請求項８】
前記第３の判定手段の前記印刷の良否の判定結果を通知する通知手段を備えたことを特徴とする請求項１から請求項７までの何れかに記載の画像形成装置。
【請求項９】
前記第３の判定手段の前記印刷の良否の判定結果が否であった場合の前記第１の画像を再印刷するあるいは再印刷しないことをユーザに選択させる再印刷指示受付手段を備え、
前記印刷手段は、前記再印刷指示受付手段で再印刷することが選択された場合、前記第１の画像を再印刷することを特徴とする請求項８に記載の画像形成装置。
【請求項１０】
前記第３の判定手段の前記印刷の良否の判定結果が否であった場合の前記第１の画像を再印刷するあるいは再印刷しないことを判定する再印刷判定手段を備え、
前記印刷手段は、前記再印刷判定手段で再印刷すると判定された場合、前記第１の画像を再印刷することを特徴とする請求項１から請求項６までの何れかに記載の画像形成装置。
【請求項１１】
前記再印刷判定手段で再印刷すると判定された場合、前記第１の画像を補正する補正手段を備え、
前記印刷手段は、補正手段によって補正された第１の画像を再印刷することを特徴とする請求項１０に記載の画像形成装置。
【請求項１２】
印刷記録媒体を識別するための識別コード画像を含む第１の画像を印刷記録媒体に印刷する印刷手段と、
前記印刷手段によって前記印刷記録媒体に印刷された第２の画像を読取る読取手段とを備えた画像形成装置を制御する画像形成方法であって、
前記読取手段によって読取られた第２の画像と前記第１の画像とを比較して画質の良否を判定する第１の判定ステップと、
前記第１の画像に含まれる識別コード画像から得られるデータと前記第２の画像に含まれる識別コード画像から得られるデータとを比較して画質の良否を判定する第２の判定ステップと、
前記第１の判定手段の判定結果および前記第２の判定手段の判定結果に従って印刷の良否を判定する第３の判定ステップと、を備えたことを特徴とする画像形成方法。
【請求項１３】
印刷記録媒体を識別するための識別コード画像を含む第１の画像を印刷記録媒体に印刷する印刷手段と、
前記印刷手段によって前記印刷記録媒体に印刷された第２の画像を読取る読取手段とを備えた画像形成装置を制御する画像形成プログラムであって、
前記読取手段によって読取られた第２の画像と前記第１の画像とを比較して画質の良否を判定する第１の判定ステップと、
前記第１の画像に含まれる識別コード画像から得られるデータと前記第２の画像に含まれる識別コード画像から得られるデータとを比較して画質の良否を判定する第２の判定ステップと、
前記第１の判定手段の判定結果および前記第２の判定手段の判定結果に従って印刷の良否を判定する第３の判定ステップと、をコンピュータに実行させることを特徴とする画像形成プログラム。
【請求項１４】
請求項１３に記載の画像形成プログラムを記録したコンピュータ読取可能な記録媒体。
【発明の詳細な説明】
【技術分野】
【０００１】
本発明は、画像データを紙などの記録媒体に印刷し、印刷した印刷記録媒体の画像の良否を判定する画像形成装置、画像形成方法、およびそのプログラムである。
【背景技術】
【０００２】
従来の画像形成装置としては、原稿画像データに基づいて画像形成装置により用紙上に印刷し、印刷した用紙から読み取った検査画像データを取得する手段と、原稿画像データおよび検査画像データに基づいて画像欠陥を検出して、印刷物の品質を品質クラスに分別するものが知られている（例えば、特許文献１参照）。
【０００３】
詳細には、複数の品質クラスに分別する際、従来の画像形成装置は、良品クラス、不良クラス、または、良品クラスと不良クラスとの間の品質を有する中間品質クラスなどに印刷物の品質を細かく分別することができる。
【特許文献１】特開２００５−２０５７９７号公報
【発明の開示】
【発明が解決しようとする課題】
【０００４】
しかしながら、従来の画像形成装置は、印刷物を１つ１つ識別可能にするため、印刷物にバーコードを印刷するものがあり、従来の画像形成装置では、印刷物の品質を細かく区分できたとしても、バーコードが識別可能な程度の品質か否かを区分することはできなかった。
【０００５】
また、印刷物の品質を高めるには、画像形成装置は、様々な種類の評価項目において多数の評価項目で印刷物の品質の良否の判定結果が良であるか否かを判定するが、多数の評価項目で印刷物の品質の良否の判定してしまうと、印刷処理時間がかかってしまう。ユーザは、常に高い印刷物の品質を要望しているわけではなく、バーコードが識別可能な程度の印刷物の品質を要望することもある。
【０００６】
本発明は、上述した従来の課題を解決するためになされたもので、印刷記録媒体に印刷されたバーコードなどの識別コードが識別可能な程度の品質か否かを区分すると共に、印刷処理時間を高速化することができる画像形成装置、画像形成方法、およびそのプログラムを提供することを目的とする。
【課題を解決するための手段】
【０００７】
本発明の画像形成装置は、印刷記録媒体を識別するための識別コード画像を含む第１の画像を印刷記録媒体に印刷する印刷手段と、前記印刷手段によって前記印刷記録媒体に印刷された第２の画像を読取る読取手段と、前記読取手段によって読取られた第２の画像と前記第１の画像とを比較して画質の良否を判定する第１の判定手段と、前記第１の画像に含まれる識別コード画像から得られるデータと前記第２の画像に含まれる識別コード画像から得られるデータとを比較して識別コード画像の良否を判定する第２の判定手段と、前記第１の判定手段の判定結果および前記第２の判定手段の判定結果に従って印刷の良否を判定する第３の判定手段と、を備えた構成を有している。
この構成により、画質の良否を判定し、識別コード画像の良否を判定し、これら判定結果に従って印刷の良否を判定するため、印刷記録媒体に印刷されたバーコードなどの識別コードが識別可能な程度の品質か否かを区分することができる。
【０００８】
また、本発明の画像形成装置は、前記画質の良否を判定するための複数の評価項目のうち所望の評価項目を指定させる評価項目指定手段を備え、前記第１の判定手段は、前記評価項目指定手段によって指定された評価項目について前記画質の良否を判定する構成を有している。
この構成により、指定された評価項目について前記画質の良否を判定するため、指定された評価項目の数が少ないほど印刷処理時間を高速化することができる。
【０００９】
また、本発明の画像形成装置は、前記評価項目には、画像の濃度に関する項目が含まれる構成を有している。
この構成により、第１の画像に対して濃淡が忠実に再現された画像を印刷した印刷記録媒体をユーザに提供することができる。
【００１０】
また、本発明の画像形成装置は、前記評価項目には、画像の位置、伸縮量、および回転量に関する項目が含まれる構成を有している。
この構成により、第１の画像に対して画像の位置、伸縮量、および回転量が忠実に再現された画像を印刷した印刷記録媒体をユーザに提供することができる。
【００１１】
また、本発明の画像形成装置は、前記評価項目には、画像の色に関する項目が含まれる構成を有している。
この構成により、第１の画像に対して色が忠実に再現された画像を印刷した印刷記録媒体をユーザに提供することができる。
【００１２】
また、本発明の画像形成装置は、前記評価項目には、画像の形状に関する項目が含まれる構成を有している。
この構成により、第１の画像に対して形状が忠実に再現された画像を印刷した印刷記録媒体をユーザに提供することができる。
【００１３】
また、本発明の画像形成装置は、前記第３の判定手段の前記印刷の良否の判定結果に応じて前記印刷記録媒体を分別する分別手段を備えた構成を有している。
この構成により、印刷の良否に応じて印刷記録媒体を分別することで、ユーザが所望する品質の印刷記録媒体を提供することができる。
【００１４】
また、本発明の画像形成装置は、前記第３の判定手段の前記印刷の良否の判定結果を通知する通知手段を備えた構成を有している。
この構成により、印刷の良否に応じて印刷記録媒体を通知することができる。
【００１５】
また、本発明の画像形成装置は、前記第３の判定手段の前記印刷の良否の判定結果が否であった場合の前記第１の画像を再印刷するあるいは再印刷しないことをユーザに選択させる再印刷指示受付手段を備え、前記印刷手段は、前記再印刷指示受付手段で再印刷することが選択された場合、前記第１の画像を再印刷する構成を有している。
この構成により、印刷の良否の判定結果が否の印刷記録媒体でユーザが許容できる場合に「再印刷しない」を選択することにより、資源の有効活用とコストの削減を図ることができる。
【００１６】
また、本発明の画像形成装置は、前記第３の判定手段の前記印刷の良否の判定結果が否であった場合の前記第１の画像を再印刷するあるいは再印刷しないことを判定する再印刷判定手段を備え、前記印刷手段は、前記再印刷判定手段で再印刷すると判定された場合、前記第１の画像を再印刷する構成を有している。
この構成により、再印刷すると判定された場合、第１の画像を再印刷するため、すぐに再印刷された印刷記録媒体をユーザに提供することができる。
【００１７】
また、本発明の画像形成装置は、前記再印刷判定手段で再印刷すると判定された場合、前記第１の画像を補正する補正手段を備え、前記印刷手段は、補正手段によって補正された第１の画像を再印刷する構成を有している。
この構成により、第１の画像を補正することで、品質のよい印刷記録媒体をユーザに提供することができる。
【発明の効果】
【００１８】
以上のように本発明は、印刷記録媒体に印刷されたバーコードなどの識別コードが識別可能な程度の品質か否かを区分すると共に、印刷物の品質に関するユーザの要望を満たすことができる画像形成装置、画像形成方法、およびそのプログラムを提供するものである。
【発明を実施するための最良の形態】
【００１９】
以下、本発明の実施の形態に係る画像形成装置について、図面を参照して説明する。
【００２０】
（本発明の第１の実施の形態）
図１は、本発明の第１の実施の形態に係る画像形成装置のブロック図である。画像形成装置１０は、入力インタフェース１１、印刷手段１２、読取手段１３、印刷記録媒体保持手段１４、制御手段１５、および操作パネル１６がバスで接続された構成を有している。
【００２１】
入力インタフェース１１は、画像形成装置１０に入力される画像（以下、入力画像という。）の画像データを受信し、受信した画像データを印刷手段１２および制御手段１５に出力するようになっている。
【００２２】
例えば、複写機能の場合、印刷物が図示していない読取り機器で読取られた入力画像の画像データが入力インタフェース１１に入力される。また、プリンター機能の場合、パソコンなどの機器から入力画像の画像データが入力インタフェース１１に入力される。
【００２３】
なお、画像形成装置１０は、入力インタフェース１１が受信した画像データにバーコードを表す画像情報を付加して印刷するようになっている。また、画像形成装置１０が画像データにバーコードを表す画像情報を付加するのではなく、入力画像には、印刷記録媒体を識別するためのバーコード画像が含まれていてもよい。なお、本発明の実施の形態では、バーコードを用いるが、バーコード以外のものでもよく、印刷記録媒体を識別するための識別コードであればよい。なお、バーコードは、１次元バーコード又は２次元バーコードなどを含むものとする。ここで、１次元のバーコードとしては、Code39、EAN-8、EAN-13、NW-7、Code128などのコードがあり、２次元のコード画像としては、QR、DataMatrix、PDF417などのコードがある。このような各種の情報担体を用いて生成されたコード画像を、以下の実施の形態においては識別コード画像（バーコード画像）とする。いずれの情報担体を用いるかは、本実施の形態においては限定されない。
【００２４】
印刷手段１２は、感光体や感光体ドラムを有し、入力インタフェース１１から出力された入力画像データを紙などの印刷記録媒体に印刷し、印刷した印刷記録媒体を印刷記録媒体搬送路に送出するようになっている。
【００２５】
読取手段１３は、印刷手段１２によって印刷記録媒体搬送路に送出された印刷記録媒体から画像データを読取り、読取った画像（以下、ベリファイ画像という。）を制御手段１５に出力するようになっている。
【００２６】
印刷記録媒体保持手段１４は、印刷記録媒体搬送路から搬送される印刷記録媒体を受取り保持するようになっており、搬送方向に関して下流方向に設けられた排出トレイおよび廃棄トレイに加えて、排出トレイまたは廃棄トレイを択一的に切り替えてこれらのトレイの何れかが印刷記録媒体を受取ることができるように搬送経路切替機構（分別手段）を有している。
【００２７】
制御手段１５は、ＣＰＵなどによって構成され、画像形成装置１０を構成する手段を制御するようになっている。
【００２８】
また、制御手段１５は、読取手段１３によって読取られたベリファイ画像と入力インタフェース１１によって出力された入力画像とを比較して画質の良否を判定する第１の判定手段１５１と、入力画像に含まれる識別コード画像をデコードしたデータとベリファイ画像に含まれる識別コード画像をデコードしたデータとを比較して識別コード画像の良否を判定する第２の判定手段１５２と、判定手段１５１の判定結果および判定手段１５２の判定結果に従って印刷の良否を判定する第３の判定手段１５３と有している。
【００２９】
さらに、制御手段１５は、画質の良否を判定するための複数の評価項目のうち所望の評価項目を指定させる評価項目指定手段１５４を備え、判定手段１５１は、評価項目指定手段１５４によって指定された評価項目について画質の良否を判定する。
【００３０】
さらに、制御手段１５は、判定手段１５３の印刷の良否の判定結果が否であった場合の入力画像を再印刷するあるいは再印刷しないことを判定する再印刷判定手段１５５を備え、印刷手段１２は、再印刷判定手段１５５で再印刷すると判定された場合、入力画像を再印刷する。
【００３１】
さらに、制御手段１５は、再印刷判定手段１５５で再印刷すると判定された場合、入力画像を補正する補正手段１５６を備え、印刷手段１２は、補正手段１５６によって補正された入力画像を再印刷する。
【００３２】
なお、判定手段１５１、１５２、１５３、評価項目指定手段１５４、再印刷判定手段１５５、補正手段１５６は、ＣＰＵで実行されるプログラムのモジュールでもよい。
【００３３】
操作パネル１６は、タッチパネルなどで構成されており、ユーザから受付けた操作の内容を制御手段１５に通知するようになっている。
【００３４】
以上のように構成された画像形成装置１０の処理について図面を参照しながら説明する。まず、制御手段１５がベリファイ画像の品質の良否を判定する処理について説明するが、品質の良否を判定するにあたって品質を評価する評価項目がいくつか存在する。例えば、評価項目については、画像の濃度、トナーののり、伸縮・回転、ＲＧＢ値、色相・彩度・明度、画像の形状、バーコードの復号結果などの項目がある。これらの項目に関する画質低下の原因を以下に述べる。
【００３５】
機器の振動やショックジタによって、本来感光体ドラムに載るはずのトナーが載らなかったり、載らないはずのトナーが載ってしまったりすることで、入力画像の濃度とベリファイ画像の濃度とは異なってしまう。特に、ショックジタの場合は、出力された紙面の文字や画像の一部が欠けてしまったり、汚れのように黒い模様が出てしまったりする。また、カラー印刷の場合は、ＣＭＹＫ（Cyan-Magenta-Yellow-blacK）版のいずれかに濃度値のずれが生じ、結果として色ずれを起こしてしまう。
【００３６】
給紙および印刷記録媒体搬送中のずれによって、印刷開始位置がずれたり、回転したり、ユーザが思った位置に写真などが出力されないことになる。特に、ミスフィードを起こしながらも印刷を続けてしまった場合、印刷位置が大幅にずれ、紙が回転した状態で搬送され、印刷物が曲がった状態で出力されてしまうこともある。
【００３７】
印刷記録媒体搬送速度のずれやスキューによって、印刷内容の一部または全体が歪んでしまう。例えば、Ａ４紙を縦に印刷した場合、印刷内容の上部は正常であっても、下部に近づくに従って文字や画像が歪んでしまったような印刷物になる。
【００３８】
ＣＭＹＫ版のずれは、カラー印刷の際にＣＭＹＫの４色のトナーを用いて、ＣＭＹＫそれぞれの版を複数の感光体あるいは同一の感光体に作像しているが、機械的な組み付けや遊びの影響により、これらの版にずれが生じてしまうことで起こってしまう。よって、写真のような印刷物の場合は、ユーザが思ったような色が再現されないことがある。
【００３９】
情報をバーコードシンボル等の識別コード画像に変換して印刷するような、紙に情報を埋め込む技術を用いる場合、上述したような画質低下があるため、現在のプロッタの性能では確実に埋め込み情報を読み出す（デコードする）ことを保証できない。
【００４０】
以上のような原因は、機械的な要因が大きく、完全に取り除くことは不可能である。したがって、制御手段１５は、上記のような印刷内容の劣化が起こっていないかどうかを評価項目の単位で判定する。
【００４１】
図２は、制御手段１５が画像の濃度を評価するプログラムの処理を表すフローチャートである。また、図３は、画像をセル分割したときの領域の平均濃度値の算出方法について説明するための図である。
【００４２】
まず、図２に示すように、入力画像とベリファイ画像を複数の領域（各領域をセルと呼ぶことにする）に分割する（ステップＳ１１）。セルの大きさはどのように設定しても構わないが、ここでは５画素×５画素の領域として説明する。
【００４３】
次に、入力画像とベリファイ画像の各セルについての平均濃度値を算出する（ステップＳ１２）。算出方法は、平均濃度値＝（全画素の濃度値の和）÷（全画素の数）である。図３では、入力画像の平均濃度値が１５６、ベリファイ画像の平均濃度値が１０７になったものとする。入力画像の平均濃度値に対して、ベリファイ画像の平均濃度値が大幅に減少しているが、これは、図３に示すように、紙の出力時に不要なトナーが載ってしまい、黒いよごれとして印刷されてしまったためである。
【００４４】
求めたセルの平均濃度値について、以下に示す条件式１を満たす場合に良、満たさない場合に否として判定し、判定結果をメモリなどに記憶する（ステップＳ１３）。
（１−Ｖ）×Ｄｏ  ＜  Ｄｖ  ＜  （１＋Ｖ）×Ｄｏ  ・・・（条件式１）
ここで、Ｄｏは入力画像の平均濃度値、Ｄｖはベリファイ画像の平均濃度値、Ｖは割合を示す定数である。
【００４５】
例えば、Ｖ＝０．１とすると、ベリファイ画像の平均濃度値Ｄｖは、１４０  ＜  Ｄｖ  ＜  １７１の範囲になければならない。しかし、ベリファイ画像の平均濃度値は１０７であり、条件式１に当てはまらないので、否とする。
【００４６】
以上の処理を全セルについて行い（ステップＳ１４）、すべて良の場合（ステップＳ１５）に判定結果を良とし、１つでも否があった場合、判定結果を否とする。
【００４７】
制御手段１５が画像の濃度を評価するプログラムは、入力画像とベリファイ画像との濃度値を比較する手段であり、濃度値の比較としては様々な従来手法が存在し、いずれの手法を用いても構わない。
【００４８】
図４は、制御手段１５が画像の全体的なトナーののり具合を評価するプログラムの処理を表すフローチャートである。
【００４９】
図２では、画像をセルに分割し、各セルについて平均濃度値を求めていたが、画像にセルを分割せず、画像全体の平均濃度値を求める（ステップＳ２１）。算出方法は、平均濃度値  ＝（画像中の全画素の濃度値の和）÷（画像中の全画素の数）である。
【００５０】
例えば、入力画像の平均濃度値が１００、ベリファイ画像の平均濃度値が８０になったものとする。入力画像の平均濃度値に対して、ベリファイ画像の平均濃度値が大幅に減少しているが、トナーボトルの残量が少なくなったり、プロッタに問題が発生したりすることで、トナーののりが画像全体で減ってしまったため、入力画像の平均濃度値およびベリファイ画像の平均濃度値を上述した値とした。
【００５１】
求めた画像全体の平均濃度値について、以下に示す条件式２を満たす場合に良、満たさない場合に否として判定する（ステップＳ２２）。
（１−Ｖ）×Ｄｏ  ＜  Ｄｖ  ＜  （１＋Ｖ）×Ｄｏ・・・（条件式２）
ここで、Ｄｏは入力画像の平均濃度値、Ｄｖはベリファイ画像の平均濃度値、Ｖは割合を示す定数である。Ｖ＝０．１とすると、ベリファイ画像の平均濃度値Ｄｖは、９０  ＜  Ｄｖ  ＜  １１０の範囲になければならない。しかし、ベリファイ画像の平均濃度値は８０であり、上記の条件に当てはまらないので、否とする。
【００５２】
図５は、制御手段１５が入力画像とベリファイ画像の印刷内容について印刷位置、印刷内容の伸縮および回転を比較するプログラムの処理を表すフローチャートである。また、図６は、入力画像およびベリファイ画像の外接四角形を算出方法について説明するための図である。
【００５３】
まず、図６に示した入力画像およびベリファイ画像の外接四角形を算出する（ステップＳ３１）。なお、外接四角形の算出方法には、公知の方法が多くあり、いずれの方法を用いても構わない。
【００５４】
次に、求まった外接四角形の左上座標とリファイ画像の左上座標とを比較する（ステップＳ３２）。入力画像の左上座標を（Ｘｏ，Ｙｏ）、ベリファイ画像の左上座標を（Ｘｖ，Ｙｖ）とすると、左上座標は以下の条件式３、４を満足しなければならない。
（１−Ｖ１）×Ｘｏ  ＜  Ｘｖ  ＜  （１＋Ｖ１）×Ｘｏ・・・（条件式３）
（１−Ｖ１）×Ｙｏ  ＜  Ｙｖ  ＜  （１＋Ｖ１）×Ｙｏ・・・（条件式４）
【００５５】
ここで、Ｖ１は割合を示す定数である。Ｖ１＝０．１とすると、ベリファイ画像の左上座標は、以下の条件式５、６を満足しなければならない。また、判定結果を良または否として判定結果メモリへ格納する。
０．９×Ｘｏ  ＜  Ｘｖ  ＜  １．１×Ｘｏ・・・（条件式５）
０．９×Ｙｏ  ＜  Ｙｖ  ＜  １．１×Ｙｏ・・・（条件式６）
【００５６】
次に、入力画像の幅と高さとベリファイ画像の幅と高さとを比較する（ステップＳ３３）。入力画像の幅と高さをＷｏとＨｏ、ベリファイ画像の幅と高さをＷｖとＨｖとすると、幅と高さは以下の条件式７、８を満足しなければならない。
（１−Ｖ２）×Ｗｏ  ＜  Ｗｖ  ＜  （１＋Ｖ２）×Ｗｏ・・・（条件式７）
（１−Ｖ２）×Ｈｏ  ＜  Ｈｖ  ＜  （１＋Ｖ２）×Ｈｏ・・・（条件式８）
【００５７】
ここで、Ｖ２は割合を示す定数である。Ｖ２＝０．２とすると、ベリファイ画像の左上座標は、以下の条件式９、１０を満足しなければならない。また、判定結果を良または否として判定結果メモリへ格納する。
０．８×Ｗｏ  ＜  Ｗｖ  ＜  １．２×Ｗｏ・・・（条件式９）
０．８×Ｈｏ  ＜  Ｈｖ  ＜  １．２×Ｈｏ・・・（条件式１０）
【００５８】
次に、入力画像の回転角とベリファイ画像の回転角とを比較する（ステップＳ３４）。入力画像の回転角をＡｏ、ベリファイ画像の回転角をＡｖとすると、回転角は以下の条件式１１を満足しなければならない。
Ａｏ−Ｖ３  ＜  Ａｖ  ＜  Ａｏ＋Ｖ３・・・（条件式１１）
【００５９】
ここで、Ｖ３は角度を示す定数である。Ｖ３＝２とすると、ベリファイ画像の左上座標は、以下の条件式１２を満足しなければならない。つまり、入力画像の回転角±２°の範囲になければならない。判定結果を良または否として判定結果メモリへ格納する。
Ａｏ−２  ＜  Ａｖ  ＜  Ａｏ＋２・・・（条件式１２）
【００６０】
最後に、判定結果メモリ内に格納されたステップＳ３２〜Ｓ３４までの判定結果が良かどうかを調べ、全ての判定結果が良であれば良と、１つでも否があれば否と判定する（ステップＳ３５）。
【００６１】
また、上述の実施例では、画像全体について外接四角形を求めたが、ベリファイ画像の左上座標を入力画像の左上座標に合わせ、ベリファイ画像の回転角が入力画像の回転角になるようにベリファイ画像を回転させることにより、位置と回転を補正した上で、図２および図３で説明したように、画像をセルに分割し、各セルで外接四角形を求めて図５で示したような評価を行ってもよい。これによって、細部の伸縮を評価できる。
【００６２】
なお、印刷位置、印刷内容の伸縮および回転を比較する方法としては、様々な公知の手法が存在し、いずれの手法を用いても構わないが、ここでは、外接四角形を用いた評価手法について述べた。
【００６３】
図７は、制御手段１５が入力画像とベリファイ画像の色を比較するプログラムの処理を表すフローチャートである。また、図８は、ＲＧＢの３枚の画像に分離した３枚の画像それぞれについてヒストグラムを求める方法について説明するための図である。
【００６４】
まず、画像メモリに蓄えられた入力画像およびベリファイ画像を図８に示すようにＲＧＢの各原色毎の画像に分離する（ステップＳ４１）。分離した３枚の画像それぞれについてヒストグラム（輝度に対する出現頻度の分布）を求める（ステップＳ４２）。
【００６５】
求めたそれぞれのヒストグラムについて、分布の輝度重心を求める（ステップＳ４３）。図８の例では、入力画像のＲ画像の輝度重心ＲＧｏ、Ｇ画像の輝度重心ＧＧｏ、Ｂ画像の輝度重心ＢＧｏそれぞれ１４５、１８３、１６１になり、ベリファイ画像のＲ画像の輝度重心ＲＧｖ、Ｇ画像の輝度重心ＧＧｖ、Ｂ画像の輝度重心ＢＧｖそれぞれ１４０、１５０、１５５になったとする。
【００６６】
これらの輝度重心を以下の条件式１３〜１５で比較して良否の判定を行う（ステップＳ４４）。
（１−Ｖ）×ＲＧｏ  ＜  ＲＧｖ  ＜  （１＋Ｖ）×ＲＧｏ・・・（条件式１３）
（１−Ｖ）×ＧＧｏ  ＜  ＧＧｖ  ＜  （１＋Ｖ）×ＧＧｏ・・・（条件式１４）
（１−Ｖ）×ＢＧｏ  ＜  ＢＧｖ  ＜  （１＋Ｖ）×ＢＧｏ・・・（条件式１５）
ここで、Ｖは割合を示す定数である。Ｖ＝０．１とすると、ベリファイ画像の各輝度重心は、以下の条件式１５〜１７を満たしていなければならない。ＲＧｖおよびＢＧｖはこの条件を満たしているが、ＧＧｖは満たしていない。したがって、判定結果としては否となる。
１３１  ＜  ＲＧｖ  ＜  １６０・・・（条件式１６）
１６５  ＜  ＧＧｖ  ＜  ２０１・・・（条件式１７）
１４５  ＜  ＢＧｖ  ＜  １７７・・・（条件式１８）
【００６７】
なお、色に関する評価を行うプログラムは、入力画像とベリファイ画像の色を比較する手段であり、色の比較手段としては様々な従来手法が存在し、いずれの手法を用いても構わない。ここでは、単純にＲＧＢ値を比較する手段と、写真画像の評価に用いられる色相／彩度／明度を比較する手段について述べた。
【００６８】
図９は、制御手段１５が入力画像とベリファイ画像の色相／彩度／明度を比較するプログラムの処理を表すフローチャートである。また、図１０は、入力画像およびベリファイ画像のＲＧＢ値を色相／彩度／明度空間へ変換した様子を表す図である。
【００６９】
まず、入力画像およびベリファイ画像のＲＧＢ値を図１０に示したように色相／彩度／明度空間へ変換する（ステップＳ５１）。変換手段は、一般的な画像処理で行われている従来手法が存在し、本手法もこれを用いる。この変換によって、色合い(色相)、鮮やかさ(彩度)、明暗(明度)の評価が可能となる。
【００７０】
次に、マンセル表色系にある基本色である赤（Ｒ）、黄（Ｙ）、緑（Ｇ）、青（Ｂ）、紫（Ｐ）の５色相について、明度と彩度の分布を抽出する（ステップＳ５２）。色相方向にＲ＝０°、Ｙ＝７２°、Ｇ＝１４４°、Ｂ＝２１６°、Ｐ＝２８８°と定義されているので、その色相角における明度−彩度分布を抽出すればいい。５色相以外の色相について処理しても構わないが、それだけ処理時間が増加してしまうので、上記５色相について処理をする。
【００７１】
抽出した明度−彩度分布において、明度を頻度とみなし、彩度に関する重心を求める（ステップＳ５３）。入力画像のＲ彩度重心をＲＧｏ、Ｙ彩度重心をＹＧｏ、Ｇ彩度重心をＧＧｏ、Ｂ彩度重心をＢＧｏ、Ｐ彩度重心をＰＧｏとし、ベリファイ画像のＲ彩度重心をＲＧｖ、Ｙ彩度重心をＹＧｖ、Ｇ彩度重心をＧＧｖ、Ｂ彩度重心をＢＧｖ、Ｐ彩度重心をＰＧｖとすると、これらの彩度重心は以下の条件式１９〜２３を満たさなければならない。
（１−Ｖ）×ＲＧｏ  ＜  ＲＧｖ  ＜  （１＋Ｖ）×ＲＧｏ・・・（条件式１９）
（１−Ｖ）×ＹＧｏ  ＜  ＹＧｖ  ＜  （１＋Ｖ）×ＹＧｏ・・・（条件式２０）
（１−Ｖ）×ＧＧｏ  ＜  ＧＧｖ  ＜  （１＋Ｖ）×ＧＧｏ・・・（条件式２１）
（１−Ｖ）×ＢＧｏ  ＜  ＢＧｖ  ＜  （１＋Ｖ）×ＢＧｏ・・・（条件式２２）
（１−Ｖ）×ＰＧｏ  ＜  ＰＧｖ  ＜  （１＋Ｖ）×ＰＧｏ・・・（条件式２３）
【００７２】
ここで、Ｖは割合を示す定数である。Ｖ＝０．１とし、例えば、図１０では彩度重心が、入力画像についてはそれぞれ８７、１１０、１６１、１８３、１４５、ベリファイ画像についてはそれぞれ６０、１２０、１５５、２００、１７４となったとすると、ベリファイ画像の各彩度重心は、以下の条件式２４〜２８を満たさなければならない。条件式２４〜２８の例では、ＹとＧとＢの彩度重心が条件を満足し、ＲとＰの彩度重心が条件を満足しないので、判定結果としては否となる。
７８    ＜  ＲＧｖ  ＜  ９６  ・・・（条件式２４）
９９    ＜  ＹＧｖ  ＜  １２１・・・（条件式２５）
１４５  ＜  ＧＧｖ  ＜  １７７・・・（条件式２６）
１６５  ＜  ＢＧｖ  ＜  ２０１・・・（条件式２７）
１３１  ＜  ＰＧｖ  ＜  １６０・・・（条件式２８）
【００７３】
図１１は、制御手段１５が入力画像およびベリファイ画像の内容を形状として評価するプログラムの処理を表すフローチャートである。入力画像およびベリファイ画像の両者のパターンマッチングによりベリファイ画像が入力画像に対してどれだけ忠実に再現されているかを判定する。パターンマッチングには、様々な従来手法が存在し、本手法ではいずれを用いても構わないが、テンプレートマッチングとして非常に良く知られる相互相関法について述べる。
【００７４】
まず、入力画像とベリファイ画像の相互相関係数を求める（ステップＳ６１）。相互相関係数Ｃは、以下の（１）式を用いることによって求めることができる。
【数１】
2008236177.tif 000003
【００７５】
相互相関係数Ｃは、−１≦Ｃ≦１の値をとり、１に近いほど両画像の類似性が高いことを示す。したがって、求められた相互相関係数について、Ｖ≦Ｃを満たすか否か判定する（ステップＳ６２）。ここで、Ｖは−１≦Ｃ≦１の値をとる定数である。Ｖ１＝０．８とすると、相互相関係数が０．８以上の値であった場合に良、０．８以上の値でない場合に否と判定する。
【００７６】
また、上述の実施例では、画像全体について相互相関係数を求めたが、図５および６で説明したように、ベリファイ画像の左上座標を入力画像の左上座標に合わせ、ベリファイ画像の回転角が入力画像の回転角になるようにベリファイ画像を回転させることにより、位置と回転を補正した上で、図２および３で説明したように、画像をセルに分割し、各セルで相互相関係数を求めてもよい。これによって、細部のパターンマッチングを行い、どのセルが似通っていないかを知ることができる。
【００７７】
次に、バーコードデコード性能に関する評価手法について説明する。入力画像に存在するバーコード、あるいは、入力画像に対して画像形成装置１０内で重畳したバーコードが紙に印刷され、読取手段１３によって読取られ、デコードされる時、正しくデコードできるかどうかをあらかじめ確認しておく手法である。この評価手法には２種類あり、ベリファイ画像を実際にデコードしたときの情報とバーコードに変換する前の埋め込み情報と比較する手法、バーコードシンボル規格にあるグレード評価を行って比較する手法である。
【００７８】
図１２は、制御手段１５がベリファイ画像を実際にデコードしたときの情報とバーコードを埋め込む前の情報とを比較するプログラムの処理を表すフローチャートである。
【００７９】
まず、画像形成装置１０には、バーコードに変換したときの埋め込み情報があるか否かを確認する（ステップＳ７１）。埋め込み情報が変換されたバーコードでないバーコードが入力画像にあるならば、埋め込み情報が画像形成装置１０にないので、デコーダによって入力画像をデコードした情報（以下、入力情報という。）を取得する（ステップＳ７２）。なお、画像形成装置１０が生成したバーコード画像を入力画像に重畳したのであれば、埋め込み情報があるため、この埋め込み情報を入力情報として取得する。
【００８０】
次に、デコーダによってベリファイ画像をデコードして得られた情報（以下、出力情報という。）を取得し（ステップＳ７３）、入力情報と出力情報とが一致するか否か判定する（ステップＳ７４）。例えば、入力情報が「２００６年１１月２４日」という文字列であった場合、出力情報も同じ「２００６年１１月２４日」という文字列であるか否かを判定する。その結果、完全に一致していれば良、一部でも違っていれば否と判定する。
【００８１】
図１３は、制御手段１５がバーコードシンボル規格にあるグレード評価で比較するプログラムの処理を表すフローチャートである。
【００８２】
まず、グレード評価では、デコーダで実際にデコードを行ってデコードの成功／失敗を出す行程と、規格で定められた画質評価パラメータをベリファイ画像について算出する行程があり、両行程の結果を評価する（ステップＳ８１）。この評価より、グレード１、２、３、４、５という評価結果を得ることができる。グレード１が最も良質であり、グレード５はいかなるデコーダでもデコード不可能という質である。
【００８３】
以上のようなグレード評価を入力画像およびベリファイ画像に対して行い、結果として入力画像のグレード値Ｇｏ、ベリファイ画像のグレード値Ｇｖを得たとする。そして、グレード値ＧｏおよびＧｖが以下の条件式２９〜３０を満たすかどうかを判定する（ステップＳ８２）。
Ｇｖ  ＞  ＧｏからＮレベル下げたグレード  ・・・（条件式２９）
Ｇｖ  ＞  グレードＸ                      ・・・（条件式３０）
【００８４】
例えば、Ｎはグレードのレベルを表す定数であり、Ｘはグレード値を表す定数であり、Ｇｏ＝グレード２で、Ｎ＝２、Ｘ＝５とすると、条件は、Ｇｖ＞グレード４、Ｇｖ＞グレード５であるので、結局Ｇｖは、Ｇｖ＞グレード４を満たさなければならない。ステップＳ８３で、満たしていれば判定結果を良とし、満たしていなければ否とする。
【００８５】
ここで、制御手段１５が画像の品質を評価する評価項目に基づいて印刷の良否を判定する処理について説明する。図１４は、制御手段１５が印刷の良否を判定する処理を表すフローチャートである。
【００８６】
まず、評価項目指定手段１５４は、ユーザに評価項目を決めるためのユーザ入力条件を指定させ、指定されたユーザ入力条件を受付ける（ステップＳ９１）。例えば、図１５の表に示すように、ユーザは、画質、印刷処理速度のうち優先したいユーザ入力条件Ａ〜Ｅを選択し、評価項目指定手段１５４は、ユーザ入力条件Ａ〜Ｅまでのうち、ユーザが指定した何れかのユーザ入力条件を受付ける。
【００８７】
次に、評価項目指定手段１５４は、受付けたユーザ入力条件に基づいて、複数の評価項目のうち対象とする評価項目を決定する（ステップＳ９２）。例えば、受付けたユーザ入力条件がユーザ入力条件Ａであった場合、評価項目指定手段１５４は、図１６に示すように、記載している評価項目のうち全ての評価項目を対象とする。
【００８８】
また、受付けたユーザ入力条件がユーザ入力条件Ｂであった場合、評価項目指定手段１５４は、図１７に示すように、画質に関わる評価項目のうち全ての評価項目を対象とし、バーコードに関わる評価項目を１項目だけ対象とする。受付けたユーザ入力条件がユーザ入力条件Ｃであった場合、評価項目指定手段１５４は、図１８に示すように、画質に関わる評価項目を５項目だけ対象とし、バーコードに関わる評価項目を１項目だけ対象とする。
【００８９】
受付けたユーザ入力条件がユーザ入力条件Ｄであった場合、評価項目指定手段１５４は、図１９に示すように、画質に関わる評価項目を２項目だけ対象とし、バーコードに関わる評価項目を１項目だけ対象とする。また、受付けたユーザ入力条件がユーザ入力条件Ｅであった場合、評価項目指定手段１５４は、図２０に示すように、画質に関わる評価項目を１項目だけ対象とし、バーコードに関わる評価項目を１項目だけ対象とする。
【００９０】
ユーザが印刷処理時間を高速化したい場合には、評価項目の最も少ないユーザ入力条件Ｅが選択されるのが望ましく、ユーザが画質を最良にしたい場合には、評価項目の最も多いユーザ入力条件Ａが選択されるのが望ましい。
【００９１】
次に、判定手段１５１は、評価項目指定手段１５４によって決定された画質に関わる評価項目について画像の良否を判定する（ステップＳ９３）。例えば、判定手段１５１は、濃度が対象とされていれば、図２で説明した判定処理を行い、位置、伸縮量、および回転量が対象とされていれば、図５で説明した判定処理を行い、色が対象とされていれば、図７で説明した判定処理を行い、形状が対象とされていれば、図１１で説明した判定処理を行い、対象となっていた評価項目が全て良の場合に、画像の良否を良とする。
【００９２】
次に、判定手段１５２は、評価項目指定手段１５４によって決定されたバーコードに関わる評価項目について画像の良否を判定する（ステップＳ９４）。例えば、判定手段１５２は、バーコードでコード比較が対象とされていれば、図１２で説明した判定処理を行い、バーコードグレード評価が対象とされていれば、図１３で説明した判定処理を行い、対象となっていた評価項目が全て良の場合に、バーコード画像の良否を良とする。
【００９３】
判定手段１５３は、判定手段１５１の判定結果および判定手段１５２の判定結果に従って印刷の良否を判定する（ステップＳ９５）。例えば、判定手段１５１の判定結果が良かつ判定手段１５２の判定結果が良の場合に判定手段１５３は、印刷の良否を良とし、判定手段１５１の判定結果、判定手段１５２の判定結果の何れかが否の場合に判定手段１５３は、印刷の良否を否とする。以降、相互良否判定の結果に応じた処理が制御手段１５で実行される（ステップＳ９６）。
【００９４】
図２１は、本発明の第１の実施の形態に係る画像形成装置の制御手段の搬送経路切替処理を表すフローチャートである。
【００９５】
図１４に示したステップＳ９１〜９５までの処理を行う（ステップＳ１０１）。以下、ステップＳ９１〜９５までの処理に従って印刷の良否を判定することを相互良否判定という。処理結果が良の場合には、印刷記録媒体搬送経路切り替え機構を印刷記録媒体が排出トレイに搬送されるように切り替えて（ステップＳ１０２）、印刷記録媒体を排出トレイに搬送する（ステップＳ１０３）。
【００９６】
また判定結果が否の場合には、印刷記録媒体搬送経路切り替え機構を印刷記録媒体が廃棄トレイに搬送されるように切り替えて（ステップＳ１０４）印刷記録媒体を廃棄トレイに搬送する（ステップＳ１０５）。
【００９７】
このように、相互良否判定の結果に基づいて印刷記録媒体搬送経路切り替え機構の切り替え制御を行うことで、印刷の良否に応じた印刷記録媒体の分別を実行することが可能となる。
【００９８】
（本発明の第２の実施の形態）
図２２は、本発明の第２の実施の形態に係る画像形成装置のブロック図である。なお、本発明の第２の実施の形態に係る画像形成装置を構成する構成要素のうち、本発明の第１の実施の形態に係る画像形成装置の構成要素と同じものには同じ符号を付し、それぞれの説明を省略する。
【００９９】
印刷記録媒体保持手段２４は、印刷された印刷記録媒体を保持するようになっており、搬送方向に関して下流方向に設けられた排出トレイおよびシュレッダに加えて、印刷記録媒体が搬送されるときに受排出トレイまたはシュレッダを択一的に切り替えてこれらのトレイの何れかが印刷記録媒体を受取ることができるように搬送経路切替機構（分別手段）を有している。
【０１００】
図２３は、本発明の第２の実施の形態に係る画像形成装置の制御手段の搬送経路切替処理を表すフローチャートである。
【０１０１】
図２１に示した相互良否判定の処理を行い（ステップＳ１０１）、処理結果が良の場合には、印刷記録媒体搬送経路切り替え機構を印刷記録媒体が排出トレイに搬送されるように切り替えて（ステップＳ１０２）、印刷記録媒体を排出トレイに搬送する（ステップＳ１０３）。
【０１０２】
また、判定結果が否の場合には、印刷記録媒体搬送経路切り替え機構を印刷記録媒体がシュレッダに搬送されるように切り替えて（ステップＳ１０６）印刷記録媒体をシュレッダに搬送する（ステップＳ１０７）。
【０１０３】
このように、相互良否判定の結果に基づいて印刷記録媒体搬送経路切り替え機構の切り替え制御を行うことで、印刷の良否に応じた印刷記録媒体の分別を実行することが可能となる。
【０１０４】
（本発明の第３の実施の形態）
図２４は、本発明の第３の実施の形態に係る画像形成装置のブロック図である。なお、本発明の第３の実施の形態に係る画像形成装置を構成する構成要素のうち、本発明の第１の実施の形態に係る画像形成装置の構成要素と同じものには同じ符号を付し、それぞれの説明を省略する。
【０１０５】
印刷記録媒体保持手段３４は、印刷された印刷記録媒体を保持するようになっており、搬送方向に関して下流方向に設けられた複数段を有する排出トレイと、複数段を有する排出トレイを垂直方向に昇降させる昇降部を有するソート機構（分別手段）を備えている。
【０１０６】
図２５は、本発明の第３の実施の形態に係る画像形成装置の制御手段の搬送経路切替処理を表すフローチャートである。
【０１０７】
図２１に示した相互良否判定の処理を行い（ステップＳ１０１）、処理結果が良の場合には、印刷記録媒体を排出トレイのＸ段目へ搬送するように、ソート機構で排出トレイを昇降させ（ステップＳ１１１）、印刷記録媒体を排出トレイのＸ段目へ出力する（ステップＳ１１２）。
【０１０８】
また、判定結果が否の場合には、印刷記録媒体を排出トレイのＹ段目へ搬送するように、ソート機構で排出トレイを昇降させ（ステップＳ１１３）、印刷記録媒体を排出トレイのＹ段目へ出力する（ステップＳ１１４）。
【０１０９】
このように、相互良否判定の結果に基づいて、ソート機構により複数段を有する排出トレイを昇降させて制御することで、印刷の良否に応じた印刷記録媒体の分別を実行することが可能となる。
【０１１０】
（本発明の第４の実施の形態）
図２６は、本発明の第４の実施の形態に係る画像形成装置のブロック図である。なお、本発明の第４の実施の形態に係る画像形成装置を構成する構成要素のうち、本発明の第１の実施の形態に係る画像形成装置の構成要素と同じものには同じ符号を付し、それぞれの説明を省略する。
【０１１１】
印刷記録媒体保持手段４４は、印刷された印刷記録媒体を保持するようになっており、搬送方向に関して下流方向に設けられた排出トレイ、及び排出トレイを印刷記録媒体面に平行で印刷記録媒体搬送方向に対して垂直な方向に移動させるオフセット駆動部（分別手段）を有するオフセット機構を備えている。なお、図２７は、オフセット機構の上面図であり、オフセット機構は、相互良否判定結果に応じて印刷記録媒体を印刷記録媒体搬送方向に対して垂直な方向に移動させる。
【０１１２】
図２８は、本発明の第４の実施の形態に係る画像形成装置の制御手段の搬送経路切替処理を表すフローチャートである。
【０１１３】
図２１に示した相互良否判定の処理を行い（ステップＳ１０１）、処理結果が良の場合には、判定結果の良に対応する排出トレイの位置に印刷記録媒体が搬送されるようにオフセット駆動部で排出トレイを移動させ（ステップＳ１２１）、印刷記録媒体を良に対応する排出トレイの位置に排出する（ステップＳ１２２）。
【０１１４】
また判定結果が否の場合には、判定結果の否に対応する排出トレイの位置に印刷記録媒体が搬送されるようにオフセット駆動部で排出トレイを移動させ（ステップＳ１２３）、印刷記録媒体を否に対応する排出トレイの位置に排出する（ステップＳ１２４）。
【０１１５】
このように、相互良否判定の結果に基づいてオフセット機構により排出トレイをそれぞれ異なる位置に移動制御することで、印刷の良否に応じた印刷記録媒体の分別を実行することが可能となる。   
【０１１６】
（本発明の第５の実施の形態）
図２９は、本発明の第５の実施の形態に係る画像形成装置のブロック図である。なお、本発明の第５の実施の形態に係る画像形成装置を構成する構成要素のうち、本発明の第１の実施の形態に係る画像形成装置の構成要素と同じものには同じ符号を付し、それぞれの説明を省略する。
【０１１７】
印刷記録媒体保持手段５４は、印刷された印刷記録媒体を保持するようになっており、搬送方向に関して下流方向に設けられた排出トレイ、印刷記録媒体に印刷を行う第２の印刷手段（分別手段）を備えている。
【０１１８】
図３０は、本発明の第５の実施の形態に係る画像形成装置の制御手段の搬送経路切替処理を表すフローチャートである。
【０１１９】
図２１に示した相互良否判定の処理を行い（ステップＳ１０１）、処理結果が良の場合には、印刷記録媒体をそのまま排出トレイに搬送して排出する（ステップＳ１３１）。処理結果が否の場合には、搬送方向に関して下流方向に設けられた第２の印刷手段により、印刷記録媒体に否であることを示す文字あるいは記号等を印刷する（ステップＳ１３２）。これにより判定結果が良の印刷記録媒体と否の印刷記録媒体とを否であることを示す印刷記録の有無で容易に分別することができる。
【０１２０】
なお、判定結果が否となった対象がコードシンボルであった場合には、否であることを示す文字あるいは記号等の印刷位置は、コードシンボル上に重ねて印刷することがより望ましい。このように、相互良否判定の結果に基づいて、第２の印刷手段により、否と判定された印刷記録媒体に否であることを示す文字あるいは記号等を印刷することで、印刷の良否に応じた印刷記録媒体の分別を実行することが可能となる。
【０１２１】
（本発明の第６の実施の形態）
次に、印刷記録媒体の良否の判定結果等を通知する通知手段について述べる。画像形成装置では、印刷記録媒体への印刷指示をして印刷し、読取手段によって印刷画像データを取得し、上記印刷された印刷記録媒体の印刷記録媒体の良否判定を行うが、印刷記録媒体判定結果において否の印刷記録媒体が検知された場合に、ユーザへその旨を通知する手段をとらなければ、否である印刷記録媒体が存在しているという認識がないためそれを良の印刷記録媒体と取り違えてしまう危険性がある。
【０１２２】
また、ネットワーク接続されたパソコンなどの離れた場所から印刷を実行する場合は、印刷記録媒体の判定で否の印刷記録媒体が検知されたとき出力先においてユーザに通知しても意味がなく、出力先へ印刷記録媒体を取りに行った時点で初めて出力された印刷記録媒体が否判定であったことが分かるので、ユーザは、良である印刷記録媒体を入手するためにパソコンなどの機器と出力先間の複数回の移動が必要となることもある。このような不具合を解消するためには、相互良否判定の結果に基づき、印刷記録媒体の良否等を以下のようにユーザに通知する通知手段が重要である。
【０１２３】
図３１は、本発明の第６の実施の形態に係る画像形成装置のブロック図である。なお、本発明の第６の実施の形態に係る画像形成装置を構成する構成要素のうち、本発明の第１の実施の形態に係る画像形成装置の構成要素と同じものには同じ符号を付し、それぞれの説明を省略する。
【０１２４】
本発明の第６の実施の形態に係る画像形成装置は、搬送方向に関して下流方向に設けられた排出トレイ６４、印刷記録媒体の相互良否判定の結果をユーザに通知する通知手段６６を備えている。なお通知手段６６の形態は、装置本体に表示部を備えその表示部に判定結果を表示する方式でも良いし、装置本体に音声出力部を備えその音声出力部から判定結果を音声で出力する方式でも良いし、またその両方を備えて両方を実施しても良い。
【０１２５】
図３２は、本発明の第６の実施の形態に係る画像形成装置の制御手段の判定結果通知処理を表すフローチャートである。
【０１２６】
図２１に示した相互良否判定の処理を行い（ステップＳ１０１）、処理結果が良の場合には、印刷記録媒体を排出トレイに搬送して排出するとともに、ユーザに印刷記録媒体の判定結果が良であったことを通知するよう通知手段６６に指示する（ステップＳ１４１）。処理結果が否の場合には、印刷記録媒体を排出トレイに搬送して排出するとともに、ユーザに印刷記録媒体の判定結果が否であったことを通知するよう通知手段６６に指示する（ステップＳ１４２）。
【０１２７】
このように、相互良否判定結果に基づいてユーザへその旨を通知する手段をとることで、出力した印刷記録媒体の相互良否判定結果をユーザに認識したもらうことができ、出力した印刷記録媒体が否であった場合でもそれを良の印刷記録媒体と誤認しまうことを回避できる。また、ネットワーク接続されたＰＣなどの離れた場所から印刷を実行する場合は、プリントサーバあるいはプリントドライバ経由で評価結果をＰＣ側へ通知する形態をとれば、出力元で判定結果がわかり出力先まで確認に行く手間が省ける。
【０１２８】
（本発明の第７の実施の形態）
また、印刷記録媒体判定で否の印刷記録媒体が検知されたときのために再印刷を行う手段を有する画像形成装置において、仮に否の印刷記録媒体が検知されてもユーザの（印刷記録媒体に対する）要求レベルによってはそのまま（否判定の印刷記録媒体）でユーザが許容できる場合もある。しかし、ユーザが許容できない場合に自動的に再印刷を行えば、余分な印刷記録媒体を出力することとなり無駄が発生してしまう。印刷記録媒体の相互良否判定結果が否のときに再印刷するあるいは再印刷しないことを選択可能な画像形成装置の実施例を以下に説明する。
【０１２９】
図３３は、本発明の第７の実施の形態に係る画像形成装置のブロック図である。なお、本発明の第７の実施の形態に係る画像形成装置を構成する構成要素のうち、本発明の第６の実施の形態に係る画像形成装置の構成要素と同じものには同じ符号を付し、それぞれの説明を省略する。
【０１３０】
本発明の第７の実施の形態に係る画像形成装置は、再印刷するあるいは再印刷しないことをユーザが選択可能とする再印刷指示受付手段７６を備えている。
【０１３１】
図３４は、本発明の第７の実施の形態に係る画像形成装置の制御手段の判定結果通知処理を表すフローチャートである。
【０１３２】
図２１に示した相互良否判定の処理を行い（ステップＳ１０１）、処理結果が良の場合には、印刷記録媒体を排出トレイに搬送して排出する（ステップＳ１５１）。処理結果が否の場合には、印刷記録媒体を排出トレイに搬送して排出するとともに、再印刷するあるいは再印刷しないことをユーザに選択させるよう再印刷指示受付手段７６に指示する（ステップＳ１５２）。
【０１３３】
ここで、ユーザの選択を判定し（ステップＳ１５３）、ユーザの選択が「再印刷しない」であった場合はそのまま終了となり、ユーザの選択が「再印刷する」を選択した場合は再印刷を実行する（ステップＳ１５４）。
【０１３４】
このように、相互良否判定の結果が否のときに再印刷するあるいは再印刷しないことをユーザが選択可能なので、否の印刷記録媒体がユーザの（印刷記録媒体に対する）要求レベルによってはそのままで許容できる場合に「再印刷しない」を選択することで、余計な印刷記録媒体を出力してしまうことを防止し、資源の有効活用とコストの削減を図ることができる。
【０１３５】
以下では、相互良否判定の結果が否のときに他の方法で再印刷を行う処理について述べる。図３５は、制御手段１５が再印刷を行う処理の大まかな概要を表したブロック図である。再印刷を行う処理として、相互良否判定部、再印刷判定部、印刷処理部がある。なお、相互良否判定部は、判定手段１５１、判定手段１５２、および判定手段１５３と対応し、再印刷判定部は、再印刷判定手段１５５と対応する。
【０１３６】
図３５に示すように、相互良否判定部を構成する判定手段１５１、１５２、１５３がステップＳ１０１を実行して相互良否判定された結果は、図３６に示すように、相互良否判定で用いた判定パラメータとともに判定結果メモリに格納される。そして、否だった場合は、再印刷判定手段１５５へ否であったページ番号と否である旨が伝えられる。
【０１３７】
再印刷判定手段１５５では、後述する再印刷を実行するかどうかの判別を行い、再印刷する場合は、画像メモリの入力画像をそのまま印刷するか、あるいは、補正手段１５６が画像メモリの入力画像に対して補正を行って再印刷画像を作成し、再印刷画像メモリに格納し、再印刷命令が印刷処理部に対して行われる。印刷処理部は、画像メモリの入力画像、あるいは、再印刷画像メモリの再印刷画像を印刷する。
【０１３８】
なお、図３６の表の判定パラメータの全てを用いて判定を行う必要はなく、必要に応じた判定パラメータで判定を行ってもよい。また、相互良否判定の結果が否であった場合は再度、判定が行われるが、再印刷対象となった過去のページの判定パラメータと判定結果は消去せずに、そのページの判定パラメータと判定結果を新しく格納することで、過去の履歴をもつことができるようにしている。例えば、図３６に示しているように、３ページ分の入力画像を印刷する場合、２ページ目が否であった場合、再印刷を行ってもう一度判定を行うが、その結果は判定結果メモリに追加される。
【０１３９】
図３７は、再印刷判定手段１５５の処理を詳細に表すフローチャートである。
【０１４０】
まず、相互良否判定の結果が否となったページの判定パラメータを取得し、再印刷を実行するかどうかの判別を行う（ステップＳ１６１）。再印刷するかどうか判定方法は、画像形成装置固有の画質劣化量から判断する方法、あらかじめ設定された回数から判断する方法、判定結果メモリの履歴から判断する方法、ユーザからの指示で判断する方法がある。
【０１４１】
画像形成装置固有の画質劣化量から判断する方法は、画像形成装置の画像処理プロセスおよび印刷プロセスにて、商品設計の段階でその画像形成装置の性能（画質劣化の量）が分かっているので、例えば画質劣化量の平均値を求め、求めた平均値が、商品設計の段階で分かっている画質劣化の量を超えた場合に再印刷を止めるなどの方法である。
【０１４２】
あらかじめ設定された回数から判断する方法は、画像形成装置の初期設定に再印刷回数を設定する項目を追加し、あらかじめユーザに回数を設定しておいてもらう手段である。例えば、３回と設定してあれば、再印刷の判定でこの値を参照し、判定結果メモリにてそのページの履歴が３回に達した時に再印刷を止める方法である。
【０１４３】
判定結果メモリの履歴から判断する手段は、判定結果メモリに蓄えられた同じページの履歴を参照し、ベリファイ画像の判定パラメータに変化が無い場合に再印刷を中止する方法である。例えば、２ページ目の平均濃度値が３回分格納されており、それぞれＤ１、Ｄ２、Ｄ３だったとし、平均濃度値の平均Ｄ＝（Ｄ１＋Ｄ２＋Ｄ３）÷３とすると、次の条件式３１〜３３を満たす場合に変化が無かったと判断する。ここでＶは割合を示す定数である。
（１−Ｖ）×Ｄ  ＜  Ｄ１  ＜  （１＋Ｖ）×Ｄ  ・・・（条件式３１）
（１−Ｖ）×Ｄ  ＜  Ｄ２  ＜  （１＋Ｖ）×Ｄ  ・・・（条件式３２）
（１−Ｖ）×Ｄ  ＜  Ｄ３  ＜  （１＋Ｖ）×Ｄ  ・・・（条件式３３）
【０１４４】
ユーザからの指示で判断する方法は、再印刷指示受付手段７６にてユーザから再印刷するかどうかの指示を受取った際、その指示に従って再印刷するかどうかを決定する方法である。
【０１４５】
ステップＳ１６２で再印刷しない場合は終了する。ステップＳ１６２で再印刷する場合、補正手段１５６は、画質を補正するかどうか判断する（ステップＳ１６３）。補正するかどうかの判断は、画像形成装置の初期設定に再印刷時の補正をするかどうかの設定値があり、判断の際にこの値を参照して実行する。
【０１４６】
補正しない場合は、画像メモリの入力画像をそのまま印刷する再印刷命令を印刷処理へ送る（ステップＳ１６５）。補正する場合は、補正手段１５６が画像メモリの入力画像に対して補正を行い（ステップＳ１６４）、再印刷画像を作成し、再印刷画像メモリに格納して再印刷命令を印刷処理へ送信する（ステップＳ１６５）。
【０１４７】
画質補正の方法は、スキュー／伸縮補正、感光体帯電量の増加、ＲＧＢガンマカーブ補正、バーコード重畳およびバーコードのモジュールサイズ縮小がある。
【０１４８】
スキュー／伸縮補正は、数多く提案されている従来方法のどれを用いてもかまわない。例えば、スキュー／伸縮補正としては、位置のずれ、伸縮ずれ、回転ずれに対し、ベリファイ画像が正しい位置／伸縮／回転になるように入力画像をあらかじめ位置ずらし／伸縮／逆回転させておく。
【０１４９】
感光体帯電量の増加を行うと、濃度値を補正することができる。例えば、入力画像の平均濃度値よりもベリファイ画像の平均濃度値が小さかった場合、感光体への帯電量（電圧）を上げることで、より多くのトナーが付着し、紙上の濃度値が高くなる。
【０１５０】
ＲＧＢガンマカーブ補正は、数多く提案されている従来方法のどれを用いてもかまわない。例えば、ＲＧＢガンマカーブ補正としては、色ずれを起こした色に対してガンマカーブの傾きを大きくする、あるいは、小さくする、あるいは、カーブを複雑化することで、正しい色を表現するように補正するものがある。
【０１５１】
バーコード重畳は、主にバーコードがあらかじめ埋め込まれた紙をコピーする際に、スキャンして得られる電子画像を入力画像とし、入力画像をそのまま印刷してしまうと、コピー劣化によってバーコード部の画質が低下してしまうことを修正する方法である。つまり、入力画像をデコードし、デコードした値をエンコードして電子的に正確なバーコード画像を作成し、作成したバーコード画像を入力画像のバーコード位置に重畳する。バーコード位置の算出は、紙面上のバーコード位置を抽出するモジュールが搭載されたデコーダが既存の手法や製品で多く存在し、そのいずれを用いてもかまわない。
【０１５２】
バーコードのモジュールサイズ縮小は、印刷によって太ってしまう傾向にある画像形成装置において、その太りを判定パラメータから算出し、あらかじめ太り分を細くしてバーコードを作成する方法である。モジュールサイズとは、バーコードの１ラインを形成する最小単位のことでよく知られているパラメータであり、通常のエンコーダは必ずバーコード生成時のパラメータとして持っている。
【０１５３】
以下、本発明の実施の形態に係る画像形成装置の作用効果について説明する。
【０１５４】
本発明の実施の形態に係る画像形成装置は、相互良否判定し、良否に応じて印刷記録媒体を分別することで、ユーザに品質のよい印刷記録媒体を提供することができ、ユーザに確実にデコード可能なバーコードを含んだ印刷記録媒体を提供することができる。
【０１５５】
本発明の実施の形態に係る画像形成装置は、相互良否判定をする際に、デコーダによって得られるデコード結果と印刷記録媒体に埋め込む前の情報の完全一致を確認することで、ユーザに確実にデコード可能なバーコードを含んだ印刷記録媒体を提供することができる。
【０１５６】
本発明の実施の形態に係る画像形成装置は、相互良否判定をする際に、バーコードシンボル規格にあるグレード評価を行ってグレード値を確認することで、ユーザに確実にデコード可能なバーコードを含んだ印刷記録媒体を提供することができる。
【０１５７】
本発明の実施の形態に係る画像形成装置は、相互良否判定をする際に、評価項目で画質の良否判定し、良否に応じて印刷記録媒体を分別することで、入力画像に対して忠実に再現された印刷記録媒体をユーザに提供することができる。
【０１５８】
本発明の実施の形態に係る画像形成装置は、画質に関する良否判定をする際に、画像の濃度に関するパラメータを用いて判定することで、入力画像に対して忠実な濃淡が再現された印刷記録媒体をユーザに提供することができる。
【０１５９】
本発明の実施の形態に係る画像形成装置は、画質に関する良否判定をする際に、画像の位置、歪、回転に関するパラメータを用いて判定することで、入力画像に対して忠実な位置、歪、回転が再現された印刷記録媒体をユーザに提供することができる。
【０１６０】
本発明の実施の形態に係る画像形成装置は、画質に関する良否判定をする際に、画像の色に関するパラメータを用いて判定することで、入力画像に対して忠実な色合いが再現された印刷記録媒体をユーザに提供することができる。
【０１６１】
本発明の実施の形態に係る画像形成装置は、画質に関する良否判定をする際に、画像の形状に関するパラメータを用いて判定することで、入力画像に対して忠実な形状が再現された印刷記録媒体をユーザに提供することができる。
【０１６２】
本発明の実施の形態に係る画像形成装置は、相互良否判定結果に基づき印刷記録媒体搬送経路を切り替えて良と否のそれぞれの印刷記録媒体を排出トレイと廃棄トレイとに分別することで、否の印刷記録媒体と混同することなく良の印刷記録媒体をユーザに提供することができる。
【０１６３】
本発明の実施の形態に係る画像形成装置は、相互良否判定結果に基づき印刷記録媒体搬送経路を切り替えて否の印刷記録媒体をシュレッダにかけるとともに良の印刷記録媒のみを出力することで、良の印刷記録媒体のみをユーザに提供するとともに否の印刷記録媒体の流出を完全に防止することができる。
【０１６４】
本発明の実施の形態に係る画像形成装置は、相互良否判定結果に基づきソート機構を制御して良と否のそれぞれの印刷記録媒体を排出トレイ別々の段に分別することで、否の印刷記録媒体と混同することなく良の印刷記録媒体をユーザに提供することができる。
【０１６５】
本発明の実施の形態に係る画像形成装置は、相互良否判定結果に基づき排紙トレイのオフセット機構を制御して良と否のそれぞれの印刷記録媒体を排出トレイ上でお互いにオフセットさせて排出することで、否の印刷記録媒体と混同することなく良の印刷記録媒体をユーザに提供することができる。
【０１６６】
本発明の実施の形態に係る画像形成装置は、相互良否判定結果に基づいて否である印刷記録媒体へ否であることを印刷することで、良の印刷記録媒体と否の印刷記録媒体との判別を容易にし、否の印刷記録媒体と混同することなく良の印刷記録媒体をユーザに提供することができる。
【０１６７】
本発明の実施の形態に係る画像形成装置は、相互良否判定結果を通知することで、出力した印刷記録媒体の良否判定結果をユーザに認識してもらい、否の印刷記録媒体を良の印刷記録媒体と誤認しまうことを回避することができる。
【０１６８】
本発明の実施の形態に係る画像形成装置は、相互良否判定結果を画像形成装置の表示部で表示通知することで、画像形成装置の周囲が騒がしくても出力した印刷記録媒体の良否判定結果をユーザに認識してもらうことができる。
【０１６９】
本発明の実施の形態に係る画像形成装置は、相互良否判定結果を音声で通知することで、画像形成装置を注視していなくても出力した印刷記録媒体の良否判定結果をユーザに認識してもらうことができる。
【０１７０】
本発明の実施の形態に係る画像形成装置は、ネットワーク接続されたＰＣなどの離れた場所から印刷を実行する場合に印刷記録媒体の画質の良否判定結果をプリントサーバあるいはプリントドライバ経由で出力元に通知することで、出力先まで判定結果を確認に行く手間を省くことができる。
【０１７１】
本発明の実施の形態に係る画像形成装置は、相互良否判定の結果が否のときに再印刷するあるいは再印刷しないことをユーザが選択可能なので、否の印刷記録媒体でユーザが許容できる場合に「再印刷しない」を選択することにより、資源の有効活用とコストの削減を図ることができる。
【０１７２】
本発明の実施の形態に係る画像形成装置は、相互良否判定によって否と判定された際に、自動または手動で再印刷を実行することで、すぐに再印刷された印刷記録媒体をユーザに提供することができる。
【０１７３】
本発明の実施の形態に係る画像形成装置は、再印刷を行う際に、所定の条件（例えば再印刷回数など）にて再印刷を中止することで、無限に再印刷を繰り返さないようにすることができる。
【０１７４】
本発明の実施の形態に係る画像形成装置は、再印刷を行う際に相互良否判定の際に求められたパラメータを用いて入力画像を補正することで、品質のよい印刷記録媒体をユーザに提供することができる。
【図面の簡単な説明】
【０１７５】
【図１】本発明の第１の実施の形態に係る画像形成装置のブロック図
【図２】制御手段が画像の濃度を評価するプログラムの処理を表すフローチャート
【図３】画像をセル分割したときの領域の平均濃度値の算出方法について説明するための図
【図４】制御手段が画像の全体的なトナーののりを評価するプログラムの処理を表すフローチャート
【図５】制御手段が入力画像とベリファイ画像の印刷内容について印刷位置、印刷内容の伸縮および回転を比較するプログラムの処理を表すフローチャート
【図６】入力画像およびベリファイ画像の外接四角形を算出方法について説明するための図
【図７】制御手段が入力画像とベリファイ画像の色を比較するプログラムの処理を表すフローチャート
【図８】各原色毎の画像に分離した３枚の画像それぞれについてヒストグラムの図
【図９】制御手段が入力画像とベリファイ画像の色相／彩度／明度を比較するプログラムの処理を表すフローチャート
【図１０】入力画像およびベリファイ画像のＲＧＢ値を色相／彩度／明度空間へ変換することについて説明するための図
【図１１】制御手段が入力画像およびベリファイ画像の内容を形状として評価するプログラムの処理を表すフローチャート
【図１２】制御手段がベリファイ画像を実際にデコードしたときの情報とバーコードを埋め込む前の情報とを比較するプログラムの処理を表すフローチャート
【図１３】制御手段がバーコードシンボル規格にあるグレード評価で比較するプログラムの処理を表すフローチャート
【図１４】制御手段が印刷の良否を判定する処理を表すフローチャート
【図１５】ユーザ入力条件Ａ〜Ｅを表す図
【図１６】ユーザ入力条件Ａと対応する評価項目
【図１７】ユーザ入力条件Ｂと対応する評価項目
【図１８】ユーザ入力条件Ｃと対応する評価項目
【図１９】ユーザ入力条件Ｄと対応する評価項目
【図２０】ユーザ入力条件Ｅと対応する評価項目
【図２１】本発明の第１の実施の形態に係る画像形成装置の制御手段の搬送経路切替処理を表すフローチャート
【図２２】本発明の第２の実施の形態に係る画像形成装置のブロック図
【図２３】本発明の第２の実施の形態に係る画像形成装置の制御手段の搬送経路切替処理を表すフローチャート
【図２４】本発明の第３の実施の形態に係る画像形成装置のブロック図
【図２５】本発明の第３の実施の形態に係る画像形成装置の制御手段の搬送経路切替処理を表すフローチャート
【図２６】本発明の第４の実施の形態に係る画像形成装置のブロック図
【図２７】オフセット機構の上面図
【図２８】本発明の第４の実施の形態に係る画像形成装置の制御手段の搬送経路切替処理を表すフローチャート
【図２９】本発明の第５の実施の形態に係る画像形成装置のブロック図
【図３０】本発明の第５の実施の形態に係る画像形成装置の制御手段の搬送経路切替処理を表すフローチャート
【図３１】本発明の第６の実施の形態に係る画像形成装置のブロック図
【図３２】本発明の第６の実施の形態に係る画像形成装置の制御手段の判定結果通知処理を表すフローチャート
【図３３】本発明の第７の実施の形態に係る画像形成装置のブロック図
【図３４】本発明の第７の実施の形態に係る画像形成装置の制御手段の判定結果通知処理を表すフローチャート
【図３５】制御手段が再印刷を行う処理のブロック図
【図３６】ページ番号、判定パラメータ、および判定結果の対応関係を表す図
【図３７】再印刷判定手段の処理を詳細に表すフローチャート
【符号の説明】
【０１７６】
１０  画像形成装置
１１  入力インタフェース
１２  印刷手段
１３  読取手段
１４、２４、３４、４４、５４  印刷記録媒体保持手段
１５  制御手段
１６  操作パネル
６４  排出トレイ
６６  通知手段
７６  再印刷指示受付手段
１５１、１５２、１５３  判定手段
１５４  評価項目指定手段
１５５  再印刷判定手段
１５６  補正手段
【図１】
2008236177.tif 000004
【図２】
2008236177.tif 000005
【図４】
2008236177.tif 000006
【図５】
2008236177.tif 000007
【図６】
2008236177.tif 000008
【図７】
2008236177.tif 000009
【図８】
2008236177.tif 000010
【図９】
2008236177.tif 000011
【図１０】
2008236177.tif 000012
【図１１】
2008236177.tif 000013
【図１２】
2008236177.tif 000014
【図１３】
2008236177.tif 000015
【図１４】
2008236177.tif 000016
【図１５】
2008236177.tif 000017
【図１６】
2008236177.tif 000018
【図１７】
2008236177.tif 000019
【図１８】
2008236177.tif 000020
【図１９】
2008236177.tif 000021
【図２０】
2008236177.tif 000022
【図２１】
2008236177.tif 000023
【図２２】
2008236177.tif 000024
【図２３】
2008236177.tif 000025
【図２４】
2008236177.tif 000026
【図２５】
2008236177.tif 000027
【図２６】
2008236177.tif 000028
【図２７】
2008236177.tif 000029
【図２８】
2008236177.tif 000030
【図２９】
2008236177.tif 000031
【図３０】
2008236177.tif 000032
【図３１】
2008236177.tif 000033
【図３２】
2008236177.tif 000034
【図３３】
2008236177.tif 000035
【図３４】
2008236177.tif 000036
【図３５】
2008236177.tif 000037
【図３６】
2008236177.tif 000038
【図３７】
2008236177.tif 000039
【図３】
2008236177.tif 000040